(57)【要約】      （修正有）【課題】簡単な構成を有し、電極の状態や周囲の環境の影響を受けにくく、高い精度でバランスしたプラスイオン及びマイナスイオンを安定して生成するイオン発生装置を提供する。【解決手段】イオン発生装置Ａは、制御回路６マイコンなどを含み、放電エネルギ検出部５で検出した放電エネルギ量（電圧）に基づいて、パルス信号である制御信号を第１スイッチング素子Ｓｗ１及び第２スイッチング素子Ｓｗ２に出力することにより、プラスイオンを発生する第１放電部１、及びマイナスイオンを発生する第２放電部２の放電を制御する。【選択図】図１
2013051183.tif 000002
【特許請求の範囲】
【請求項１】
放電によりプラスイオンを発生する第１放電部と、
放電によりマイナスイオンを発生する第２放電部と、
前記第１放電部及び第２放電部の放電による放電エネルギを検出する放電エネルギ検出部と、
前記第１放電部及び第２放電部の放電を制御する制御手段とを備え、
前記制御手段が、前記放電エネルギ検出部で検出した放電エネルギ量に基づいて、前記第１放電部及び前記第２放電部の放電を制御することを特徴とするイオン発生装置。
【請求項２】
前記放電エネルギ検出部は、前記第１放電部の放電により発生した電荷及び前記第２放電部の放電により発生した電荷の移動を積算する検出用キャパシタを備えており、
前記制御手段が、前記検出用キャパシタの電圧を検出することで、前記第１放電部及び前記第２放電部の放電による放電エネルギを検出する請求項１に記載のイオン発生装置。
【請求項３】
前記第１放電電極と対向する誘導電極と前記第２電電極と対向する誘導電極が共通の電極を利用しており、
前記放電エネルギ検出部が前記誘導電極と接続されており、
前記制御手段が、前記検出用キャパシタの電圧が０Ｖと閾電圧値との間で往復するように、前記第１放電部及び前記第２放電部の放電を制御している請求項２に記載のイオン発生装置。
【請求項４】
前記第１放電部が第１放電電極と対向する第１誘導電極を、前記第２放電部が第２放電電極と対向する第２誘導電極を備え、
前記放電エネルギ検出部が前記第１誘導電極と接続される第１放電エネルギ検出部と、前記第２誘導電極と接続される第２放電エネルギ検出部と備え
前記制御手段は、前記第１放電エネルギ検出部の第１検出用キャパシタが０Ｖから第１閾電圧値になるまで、前記第１放電部で、前記第２放電エネルギ検出部の第２検出用キャパシタが０Ｖから第２閾電圧値になるまで第２放電部を放電させる制御を行うとともに、前記第１放電部が放電しているとき、前記第２検出用キャパシタの電荷を０Ｖにリセットし、前記第２放電部が放電しているとき、前記第１検出用キャパシタの電荷を０Ｖにリセットする請求項２に記載のイオン発生装置。
【請求項５】
前記第１放電部に電力を供給するための第１スイッチング素子と、
前記第２放電部に電力を供給するための第２スイッチング素子とを備え、
前記制御手段が、前記第１放電部を放電させるとき前記第１スイッチング素子を動作させ、前記第２放電部を放電させるとき前記第２スイッチング素子を動作させる請求項１から請求項４のいずれかに記載のイオン発生装置。
【請求項６】
前記第１放電部の第１放電電極に正の放電電圧を印加する第１トランスと、
前記第１トランスと並列に接続され、前記第２放電部の第２放電電極に負の放電電圧を印加する第２トランスと含むトランス部を備え、
前記第１スイッチング素子が前記第１トランスの一次側に接続され、前記第２スイッチング素子が前記第２トランスの一次側に接続されている請求項５に記載のイオン発生装置。
【請求項７】
前記第１放電部の第１放電電極に正の放電電圧を、前記第２放電部の第２放電電極に負の放電電圧を印加するトランスを含むトランス部を備え、
前記第１スイッチング素子が前記トランス部の二次側と前記第１放電部との間に配置され、前記第２スイッチング素子が前記トランス部の二次側と前記第２放電部との間に配置されている請求項５に記載のイオン発生装置。
【請求項８】
前記トランス部の二次側と前記第１放電電極との間に、前記第１放電電極に正の放電電圧が印加されるように配置された第１放電部用ダイオードと、
前記トランス部の二次側と前記第２放電電極との間に、前記第２放電電極に負の放電電圧が印加されるように配置された第２放電部用ダイオードとを備えている請求項６又は７に記載のイオン発生装置。
【請求項９】
前記トランスの二次側と前記第２放電電極との間に、前記第１放電電極に全波整流された正の放電電圧が印加されるように配置された第１整流手段と、
前記トランスの二次側と前記第２放電電極との間に、前記第２放電電極に全波整流された負の放電電圧が印加されるように配置された第２整流手段とを備えている請求項６又は請求項７に記載のイオン発生装置。
【請求項１０】
前記第１放電部または第２放電部の少なくとも一方が液体を帯電させた帯電微粒子を発生する請求項１から請求項９のいずれかに記載のイオン発生装置。
【請求項１１】
請求項１から請求項１０のいずれかに記載のイオン発生装置を備えた電気機器。
【発明の詳細な説明】
【技術分野】
【０００１】
本発明は、空気中にイオンを放出し、空気中に浮遊する細菌、カビ菌等の有害物質を分解するイオン発生装置及びこれを備えた電気機器に関する。
【背景技術】
【０００２】
プラスイオンであるH＋（H２O）ｍ（ｍは自然数）及びマイナスイオンO２−(H２O)ｎ（ｎは自然数）を発生させ、両イオンで空気中に浮遊する細菌、カビ菌、ウィルス等の周りを取り囲み、その際に生成される水酸基ラジカル（・OH）の作用によって、前記細菌、カビ菌、ウィルス等を不活化することが可能なイオン発生装置がある。
【０００３】
前記プラスイオンと前記マイナスイオンとは、例えば１対１等の一定の比率（以下、イオンバランスという）で存在することが好ましいとされている。そこで、例えば、特開平３−２６６３９８号公報に記載の除電器では、プラス電極とマイナス電極との間にプラスイオン及び（又は）マイナスイオンをイオン電流として検出するイオン電流検出電極を備えているものが開示されている。前記除電器では、イオン電流検出電極で検出したイオン電流のプラスとマイナスの量の差に応じて前記プラス電極又は前記マイナス電極の少なくとも一方の電極に印加する電圧値又はパルス幅を調整して、イオンバランスを調整している。
【０００４】
また、特開平８−７８１８３公報に記載の除電装置では、放電電極に流れる電流値（放電電流値）を制御することで、前記プラスイオン及び前記マイナスイオンのバランスを制御している。
【先行技術文献】
【特許文献】
【０００５】
【特許文献１】特開平３−２６６３９８号公報
【特許文献２】特開平８−７８１８３号公報
【発明の概要】
【発明が解決しようとする課題】
【０００６】
特開平３−２６６３９８号公報に示す除電器において、イオン電流検出電極はイオンを検出するものであるが、前記イオン検出電極で検出されるイオンは、イオン発生装置で生成される総イオン量の一部であり、必ずしも生成される総イオン量のイオンバランスとはならず、生成される総イオン量のイオンバランスを高精度に制御することが難しい。また、イオン電流検出電極自体の汚れやイオン電流検出電極の周囲の条件等によって検出されるイオン電流にばらつきが発生しやすい。さらに、生成されたイオンの一部をイオン電流検出電極で検出するため、総イオン量が減少する。
【０００７】
また、特開平８−７８１８３号公報に示す除電装置のように、前記放電電極に流れる電流値を調整することで、前記プラスイオン又は前記マイナスイオンの生成量を制御しているが、放電電極の汚れや周囲の雰囲気等で放電電流値は変動しやすく、放電電流値とイオン生成量とが一致しない場合もある。また、プラスイオンに比べてマイナスイオンはイオン化しやすく、プラス電極とマイナス電極に流れる電流値（大きさ）が異なり、放電電流値に複雑な演算を施す必要があり、制御が複雑になりやすい。
【０００８】
そこで本発明は、簡単な構成を有し、電極の状態や周囲の環境の影響を受けにくく、高い精度でバランスしたプラスイオン及びマイナスイオンを安定して生成するイオン発生装置を提供することを目的とする。
【課題を解決するための手段】
【０００９】
上記目的を達成するために本発明は、放電によりプラスイオンを発生する第１放電部と、放電によりマイナスイオンを発生する第２放電部と、前記第１放電部及び第２放電部に接続され、放電による放電エネルギを検出する放電エネルギ検出部と、前記第１放電部及び第２放電部の放電を制御する制御回路とを備え、前記制御回路が、前記放電エネルギ検出部で検出した放電エネルギ量に基づいて、前記第１放電部及び前記第２放電部の放電を制御することを特徴とするイオン発生装置を提供する。
【００１０】
この構成によると、前記第１放電部及び前記第２放電部の放電を各放電部で放電したときの放電エネルギ量に基づいて制御する構成であるので、放電を正確に制御することができる。そして、放電エネルギ量によって、プラスイオン及びマイナスイオンの発生量が決定されるので、電極が汚れていたり、放電部の環境にばらつきがあったとしても、第１放電部で生成されるプラスイオンと第２放電部で生成されるマイナスイオンのイオンバランスを精度よく調整することができる。
【００１１】
また、放電エネルギ量で放電を制御しているので、第１放電部と第２放電部とで放電電流あるいは放電に要する時間が異なる場合でも、プラスイオンとマイナスイオンのイオンバランスが崩れにくい。
【００１２】
さらに、前記第１放電部及び前記第２放電部に接続された放電エネルギ検出部で放電エネルギを検出するので、直接イオンを検出する方法に対し、総イオン量の減少を抑制することが可能である。
【００１３】
上記構成において、前記放電エネルギ検出部は、前記第１放電部の放電により発生した電荷及び前記第２放電部の放電により発生した電荷の移動を積算する検出用キャパシタを備えており、前記制御回路が、前記検出用キャパシタの電圧を検出することで、前記第１放電部及び前記第２放電部の放電による放電エネルギを検出するようにしてもよい。
【００１４】
この構成によると、前記検出用キャパシタの電圧値を取得するという簡単な方法で、放電エネルギを検出することができるので、制御回路の構成及び放電エネルギ検出部の構成を簡単なものとすることが可能である。
【００１５】
上記構成において、前記第１放電部の放電電極と対向する誘導電極と前記第２放電部の放電電極と対向する誘導電極が共通の電極を利用しており、前記放電エネルギ検出部が前記誘導電極と接続されており、前記制御回路が、前記検出用キャパシタの電圧が０Ｖと閾電圧値との間で往復するように、前記第１放電部及び前記第２放電部の放電を制御してもよい。
【００１６】
この構成によると、誘導電極が第１放電部と第２放電部とで共有するので、構造を簡単にすることができるとともに、１個の放電エネルギ検出部で第１放電部と前記第２放電部の放電エネルギ量を検出することができ、制御回路を簡単な構成とすることが可能である。
【００１７】
上記構成において、前記第１放電部が放電電極と対向する第１誘導電極と、前記第２放電部が放電電極と対向する第２誘導電極を備え、前記放電エネルギ検出部が前記第１誘導電極と接続される第１放電エネルギ検出部と、前記第２誘導電極と接続される第２放電エネルギ検出部と備え、前記制御回路は、前記第１放電エネルギ検出部の第１検出用キャパシタが０Ｖから第１閾電圧値になるまで、前記第１放電部で、前記第２放電エネルギ検出部の第２検出用キャパシタが０Ｖから第２閾電圧値になるまで第２放電部を放電させる制御を行うとともに、前記第１放電部が放電しているとき、前記第２検出用キャパシタの電荷を０Ｖにリセットし、前記第２放電部が放電しているとき、前記第１検出用キャパシタの電荷を０Ｖにリセットするようにしてもよい。
【００１８】
この構成によると、前記第１放電部と前記第２放電部とが個別に制御されるので、プラスイオン及びマイナスイオンのイオンバランスを任意の比率になるように調整することが可能である。また、前記第１放電部及び前記第２放電部がそれぞれ誘導電極を備えているので、前記第１放電部と前記第２放電部を物理的に離れた位置に配置することができ、各放電部で生成されたプラスイオンとマイナスイオンとが生成直後に結びついて中和されてしまうのを抑制することができる。これにより、総イオン発生量が低下するのを抑制することができる。
【００１９】
上記構成において、前記第１放電部に電力を供給するための第１スイッチング素子と、前記第２放電部に電力を供給するための第２スイッチング素子とを備え、前記制御回路が、前記第１放電部を放電するとき前記第１スイッチング素子を動作させ、前記第２放電部で放電するとき前記第２スイッチング素子を動作させるようにしてもよい。
【００２０】
上記構成において、前記第１放電部の第１放電電極に正の放電電圧を印加する第１トランスと、前記第１トランスと並列に接続され、前記第２放電部の第２放電電極に負の放電電圧を印加する第２トランスと含むトランス部を備え、前記第１スイッチング素子が前記第１トランスの一次側に接続され、前記第２スイッチング素子が前記第２トランスの一次側に接続されていてもよい。
【００２１】
上記構成において、前記第１放電部の第１放電電極に正の放電電圧を、前記第２放電部の第２放電電極に負の放電電圧を印加するトランスを含むトランス部を備え、前記第１スイッチング素子が前記トランス部の二次側と前記第１放電部との間に配置され、前記第２スイッチング素子が前記トランス部の二次側と前記第２放電部との間に配置されていてもよい。
【００２２】
上記構成において、前記トランス部の二次側と前記第１放電電極との間に、前記第１放電電極に正の放電電圧が印加されるように配置された第１放電部用ダイオードと、前記トランス部の二次側と前記第２放電電極との間に、前記第２放電電極に負の放電電圧が印加されるように配置された第２放電部用ダイオードとを備えていてもよい。また、前記第１放電部用ダイオードに替えて全波整流が可能な第１整流手段を、前記第２放電部用ダイオードに替えて全波整流が可能な第２整流手段を備えていてもよい。なお、第１整流手段及び第２整流手段として、ダイオードブリッジを含む構成を挙げることができる。
【００２３】
上記構成において、前記第１放電部または第２放電部の少なくとも一方が液体を帯電した帯電微粒子を発生するものであってもよい。
【００２４】
上記構成において、前記第１放電部に全波整流された正の高電圧が印加されるように配置された第１整流手段と、前記第２放電部に全波整流された負の高電圧が印加されるように配置された第２整流手段とを備えていてもよい。
【００２５】
上記構成のイオン発生装置を備えた電気機器としては、例えば、空気調和機、除湿器、加湿器、空気清浄機、冷蔵庫、ファンヒータ、電子レンジ、洗濯乾燥機、掃除機、殺菌装置等を挙げることができる。
【発明の効果】
【００２６】
本発明によると、プラス側の放電部に供給される電気エネルギ及びマイナス側に供給される電気エネルギを検出しそのエネルギに基づいて、プラスイオン及びマイナスイオンの生成量を制御しているので、電極の状態や周囲の環境の影響を受けにくい。また、このことから、高い精度でバランスしたプラスイオン及びマイナスイオンを安定して生成するイオン発生装置を提供することができる。
【図面の簡単な説明】
【００２７】
【図１】本発明にかかるイオン発生装置の電気的構成を示す図である。
【図２】図１に示すイオン発生装置の放電エネルギ検出部の電圧変化と、第１スイッチング素子及び第２スイッチング素子の動作の切替えを示すタイミングチャートである。
【図３】図１に示すイオン発生装置の別構成の電気的構成を示す図である。
【図４】本発明にかかるイオン発生装置の他の例の電気的構成を示す図である。
【図５】図４に示す放電エネルギ検出部の電圧変化と、第１スイッチング素子及び第２スイッチング素子の動作の切替えを示すタイミングチャートである。
【図６】本発明にかかるイオン発生装置のさらに他の例の電気的構成を示す図である。
【図７】図６に示すイオン発生装置の別構成の電気的構成を示す図である。
【図８】本発明にかかるイオン発生装置のさらに他の例の電気的構成を示す図である。
【図９】本発明にかかる電気機器の一例である空気清浄機を示すブロック図である。
【発明を実施するための形態】
【００２８】
（第１実施形態）
以下に本発明の実施形態について図面を参照して説明する。図１は本発明にかかるイオン発生装置の電気的構成を示す図である。
【００２９】
図１に示すように、イオン発生装置Ａは、第１放電部１及び第２放電部２を含むイオン発生部と、外部電源（不図示）からイオン発生部に対して電力を供給する電力供給回路Ｃｒ１と、制御回路６（制御手段）とを有している。
【００３０】
電力供給回路Ｃｒ１は、外部電源（図示省略）と接続される電源入力部Ｐｗ１と、整流ダイオードＤ１と、入力抵抗Ｒ１と、キャパシタＣ１と、トランス駆動用スイッチング素子ＳＤと、第１トランス３（トランス部の一部）と、第２トランス４（トランス部の一部）と、第１スイッチング素子Ｓｗ１と、第２スイッチング素子Ｓｗ２と、放電エネルギ検出部５と、を備えている。
【００３１】
電源入力部Ｐｗ１は、高電圧側（外部電源が直流の場合正極）の第１端子Ｉｎ１と、低電圧側（外部電源が直流の場合負極）の第２端子Ｉｎ２とを備えている。トランス駆動用スイッチング素子ＳＤとして、無ゲート２端子サイリスタ（新電元工業株式会社製のサイダック（商標登録））が用いられている。なお、トランス駆動用スイッチング素子ＳＤはこれに限定されるものではなく、同じ動作を行う異なる回路によって構成されたサイリスタ（ＳＣＲ）が用いられていてもよい。また、入力電圧が均一な一定電圧である場合、整流ダイオードＤ１は省略してもよい。
【００３２】
第１トランス３の一次コイル３１と第２トランス４の一次コイル４１とは、トランス駆動用スイッチング素子ＳＤに対して並列に配置されており、入力抵抗Ｒ１と第１トランス３との間に第１スイッチング素子Ｓｗ１が、入力抵抗Ｒ１と第２トランス４との間に第２スイッチング素子Ｓｗ２がそれぞれ配置されている。
【００３３】
第１トランス３の二次コイル３２は一方が接地されており、他方が第１放電部用ダイオードＤｐ１を介して第１放電部１に接続されている。第１トランス３で昇圧された電圧は第１放電部１に印加される。また、第２トランス４の二次コイル４２も同様に一方が接地されており、他方が第２放電部用ダイオードＤｐ２を介して第２放電部２に接続されている。第２トランス４で昇圧された電圧は第２放電部２に印加される。なお、イオン発生装置Ａにおいて、第１トランス３及び第２トランス４は変圧比をはじめとする全ての特性が同一又は略同一のものである。
【００３４】
第１放電部１には、先端の尖った針電極である第１放電電極１１と、第１放電電極１１と非接触で近接配置された誘導電極Ｔｄとを含む構成である。そして、第１トランス３の二次コイル３２は第１放電部用ダイオードＤｐ１を介して第１放電電極１１に接続されている。第１トランス３は二次巻線３２から第１放電電極１１に向かう電流が発生するように形成されている。
【００３５】
第１放電部用ダイオードＤｐ１はアノードが第１トランス３側に、カソードが第１放電電極１１側に接続されている。これにより、第１放電電極１１に正の放電電圧（正の高電圧）が印加され、誘導電極Ｔｄとの間で放電が起こる。このことから、第１放電部１では、プラスイオン｛H＋（H２O）ｍ｝（ｍは自然数であり、以下の説明において同様である）が生成される。
【００３６】
第２放電部２には、先端の尖った針電極である第２放電電極２１と、第２放電電極２１と非接触で近接配置された誘導電極Ｔｄとを含む構成である。そして、第２トランス４の二次コイル４２は第２放電部用ダイオードＤｐ２を介して第２放電電極２１に接続されている。第２トランス４は第２放電電極２１から二次巻線４２に向かう電流が発生するように形成されている。
【００３７】
第２放電用ダイオードＤｐ２はカソードが第２トランス４側に、アノードが第２放電電極２１側に接続されている。これにより、第２放電電極２１から第２トランス４に向かって電流が流れ、第２放電電極２１に負の放電電圧（負の高電圧）が印加され、誘導電極Ｔｄとの間で放電が起こる。このことから、第２放電部２では、マイナスイオン｛O２−(H２O)ｎ｝（ｎは自然数であり、以下の説明において同様である）が生成される。
【００３８】
次に、このイオン発生装置Ａの動作について説明する。トランス３及び４の一次側回路では、電源入力部Ｐｗ１の電圧により、整流ダイオードＤ１と入力抵抗Ｒ１を介してキャパシタＣ１が充電される。キャパシタＣ１の両端の電圧が規定値以上に達したときはトランス駆動用スイッチング素子ＳＤがオンして、トランス３又は４の一次コイル３１又は４１に電圧が印加される。その直後、キャパシタＣ１に充電されたエネルギは、一次コイル３１又は４１とトランス駆動用スイッチング素子ＳＤとを通じて放電され、キャパシタＣ１の両端の電圧はゼロに戻る。その後、トランス駆動用スイッチング素子ＳＤがオフになり、キャパシタＣ１は再び充電される。イオン発生装置Ａはにおいて、キャパシタＣ１は規定周期で充電と放電とが繰り返される。
【００３９】
トランス３又は４の二次側回路では、一次側回路のトランス駆動用スイッチング素子ＳＤがオンすることにより、一次側のエネルギが二次コイル３２又は４２に伝達され、二次コイル３２又は４２の両端に交番電圧のパルス高電圧が印加される。このパルス高電圧は、放電用ダイオードＤｐ１又はＤｐ２を通じて第１放電電極１１又は２１に印加される。
【００４０】
このように、整流された高電圧が第１放電電極１１又は２１に印加されることにより、空気中の酸素分子及び（又は）水分子は、放電によって生成された電子からエネルギを受けてイオン化する。
【００４１】
第１スイッチング素子Ｓｗ１がスイッチングされる（ＯＮ／ＯＦＦ切り替えられる）ことで、第１トランス３の一次コイル３１にパルス電圧が印加される。また、第２スイッチング素子Ｓｗ２がスイッチングされる（ＯＮ／ＯＦＦ切り替えられる）ことで第２トランス４の一次コイル４１にパルス電圧が印加される。そして、第１スイッチング素子３及び第２スイッチング素子４は制御回路６によってスイッチング制御される。
【００４２】
制御回路６は、マイコン等を含み、パルス信号である制御信号を第１スイッチング素子Ｓｗ１及び第２スイッチング素子Ｓｗ２に出力し、第１スイッチング素子Ｓｗ１及び第２スイッチング素子Ｓｗ２のスイッチングを行う。第１スイッチング素子Ｓｗ１がスイッチングされると、第１トランス３にパルス電圧が印加され、昇圧された電圧が第１放電部１に印加される。これにより、第１放電部１で放電が開始され、プラスイオン｛H＋（H２O）ｍ｝が生成される。
【００４３】
また、第２スイッチング素子Ｓｗ２がスイッチングされると、第２トランス４にパルス電圧が印加され、昇圧された電圧が第２放電部２に印加される。これにより、第２放電部２で放電が開始され、マイナスイオン｛O２−(H２O)ｎ｝が生成される。
【００４４】
イオン発生装置Ａでは、第１スイッチング素子Ｓｗ１及び第２スイッチング素子Ｓｗ２として、ｎ型ＭＯＳＦＥＴを採用しており、制御回路６からゲート端子にＨレベルの制御信号が入力されると、ドレイン−ソース間が導通状態、すなわち、スイッチＯＮになる。
【００４５】
なお、第１スイッチング素子Ｓｗ１及び第２スイッチング素子Ｓｗ２として、ＭＯＳＦＥＴ以外にも、例えば、バイポーラ型トランジスタ等の半導体スイッチング素子等、制御回路６からの制御信号に基づいて第１放電部１及び第２放電部２に通電するようにＯＮ／ＯＦＦを切り替えることができるものを広く採用することができる。なお、後ほど詳しく説明するが、制御回路６は、第１スイッチング素子Ｓｗ１と第２スイッチング素子Ｓｗ２とが同時にＯＮにならないように制御信号を送信する。
【００４６】
図１に示すように、第１放電部１及び第２放電部２は、誘導電極Ｔｄを共用している。そして、誘導電極Ｔｄは放電エネルギ検出部５を介して接地されている。放電エネルギ検出部５は抵抗Ｒ５と、抵抗Ｒ５と直列に接続された検出用キャパシタＣ５とを備えている。
【００４７】
第１放電部１又は第２放電部２で放電が行われると、誘導電極Ｔｄに起電力が発生し、放電エネルギ検出部５に電流が流入するあるいは放電エネルギ検出部５から電流が流出する。検出用キャパシタＣ５に電荷がたまっていない状態のとき、電流が流入することで充電され、検出用キャパシタＣ５が充電されており、充電時と逆の電圧が印加される（換言すると、充電と逆方向の電流が流れる）と検出用キャパシタＣ５は放電される。そして、制御回路６は、放電エネルギを検出するため、検出用キャパシタＣ５の電圧を検出している。
【００４８】
次にイオン発生装置Ａの動作について新たな図面を参照して説明する。図２は図１に示すイオン発生装置の放電エネルギ検出部の電圧変化と、第１スイッチング素子及び第２スイッチング素子の動作の切替えを示すタイミングチャートである。図２において、上段の線図は検出用キャパシタＣ５と抵抗Ｒ５との間の点Ｘの電位（電圧）の変化を示すものであり、中段及び下段の線図はそれぞれ第１スイッチング素子Ｓｗ１及び第２スイッチング素子Ｓｗ２に制御回路６から供給される制御信号を示している。
【００４９】
なお、電源入力部Ｐｗ１から直流の一定電圧が入力される場合、第１スイッチング素子Ｓｗ１及び第２スイッチング素子Ｓｗ２は、制御信号がＨレベルのときスイッチングされ、ＬレベルのときＯＦＦになる。また、電源入力部Ｐｗ１から交番電圧又はパルス電圧が出力される場合、第１スイッチング素子Ｓｗ１及び第２スイッチング素子Ｓｗ２は、制御信号がＨレベルのときＯＮになる。すなわち、制御信号がＨレベルのとき、第１トランス３又は第２トランス４には、交番電圧又はパルス電圧が印加される構成になっている。なお、以下の説明では、制御信号がＨレベルのとき、第１スイッチング素子Ｓｗ１及び第２スイッチング素子Ｓｗ２はスイッチング動作するものとする。
【００５０】
制御回路６は、放電エネルギ検出部５の検出用キャパシタＣ５と抵抗Ｒ５と検出用キャパシタＣ５との間の部分の電圧（電位）を検出している。この点Ｘでの電圧は、検出用キャパシタＣ５の電圧と対応している。また、検出用キャパシタＣ５は放電により誘導電極Ｔｄで誘導された電荷がたまることで、電圧が上昇する。すなわち、制御回路６は、検出用キャパシタＣ５の電圧（点Ｘの電圧）を検出することで、放電エネルギを検出することができる。
【００５１】
図２に示すように、イオン発生装置Ａが駆動されると、制御回路６は第１スイッチング素子Ｓｗ１にＨレベルの制御信号を送信する。これにより、第１スイッチング素子Ｓｗ１はスイッチング操作され、パルス電圧が、第１トランス３の一次コイル３１に印加される。第１トランス３では、一次コイル３１に印加された電圧を昇圧し第１放電部１に印加する。二次コイル３２と第１放電電極１１との間には、第１放電部用ダイオードＤｐ１が、二次コイル３２から第１放電電極１１に向かって電流が流れるように配置されている。このことから、第１放電電極１１に正の放電電圧（正の高電圧）が印加された状態で放電が開始され、プラスイオン｛H＋（H２O）ｍ｝が発生する。
【００５２】
放電により第１放電電極１１から誘導電極Ｔｄに正の電荷が移動する。その電荷は放電エネルギ検出部５の検出用キャパシタＣ５に移動し蓄積（積算）される。検出用キャパシタＣ５に電荷が蓄積されると、検出用キャパシタＣ５の電圧が上昇し、抵抗Ｒ５と検出用キャパシタＣ５との間の点Ｘの電圧も上昇する（図２参照）。
【００５３】
一般的に、キャパシタのエネルギは静電容量が同じ場合（同じキャパシタでは）、電圧の２乗に比例する、すなわち、キャパシタの電圧を検出することで、キャパシタのエネルギを検出することが可能である。
【００５４】
そこで、制御回路６は、点Ｘの電圧が閾電圧値ＶＬに到達したことを検出することで、第１放電部１での放電エネルギが予め決められた値に到達したと判断する。すなわち、制御回路６は、点Ｘの電圧が閾電圧値ＶＬの到達するまで（期間ｔ１の間）、第１スイッチング素子Ｓｗ１にＨレベルの制御信号を送信する。そして、制御回路６は点Ｘの電圧が閾電圧値ＶＬに到達したと検出すると、第１スイッチング素子Ｓｗ１へ制御信号をＬレベルに切り替え（制御信号の送信を停止するようにしてもよい）、第２スイッチング素子Ｓｗ２にＨレベルの制御信号を送信する。これにより、第２スイッチング素子Ｓｗ２はスイッチング操作され、パルス電圧が、第２トランス４の一次コイル４１に印加される。
【００５５】
第２トランス４では、一次コイル４１に印加された電圧を昇圧し第２放電部２に印加する。二次コイル４２と第２放電電極２１との間には、第２放電部用ダイオードＤｐ２が、第２放電電極２１から二次コイル４２に向かって電流が流れるように配置されている。このことから、第２放電電極２１に負の放電電圧（負の高電圧）が印加された状態で放電が開始され、マイナスイオン｛O２−(H２O)ｎ｝が発生する。
【００５６】
放電により誘導電極Ｔｄから第２放電電極２１に正の電荷が移動する。その電荷は放電エネルギ検出部５の検出用キャパシタＣ５から供給される。すなわち、第２放電部２の放電によって検出用キャパシタＣ５の電荷が放出される。このことから、検出用キャパシタＣ５の電圧が下降し、抵抗Ｒ５と検出用キャパシタＣ５との間の点Ｘの電圧も下降する（図２参照）。
【００５７】
制御回路６は、点Ｘの電圧が０Ｖに到達するまで（期間ｔ２の間）、第２スイッチング素子Ｓｗ２にＨレベルの制御信号を送信する。そして、制御回路６は点Ｘの電圧が０Ｖに到達したことを検出すると、第２スイッチング素子Ｓｗ２へＬレベルの制御信号を送信し（制御信号の送信を停止するようにしてもよい）、再び第１スイッチング素子Ｓｗ１にＨレベルの制御信号を送信する。このように、第１放電部１での放電と第２放電部２での放電とを順次繰り返す。
【００５８】
上述したように、イオン発生装置Ａでは、第１放電部１が放電しているとき、検出用キャパシタＣ５は電荷（放電エネルギ）を蓄積（換言すると電圧が上昇）し、第２放電部２が放電しているとき、検出用キャパシタＣ５か電荷（放電エネルギ）を放出（換言すると、電圧が降下）する構成となっている。そして、制御回路６が、検出用キャパシタＣ５の電圧値（点Ｘでの電圧値）を検出し、その電圧値が０Ｖから閾電圧値ＶＬに到達するまで第１放電部１で放電させ、閾電圧値ＶＬから０Ｖに到達するまで放電と第２放電部２で放電させている。これにより、第１放電部１での放電による放電エネルギと第２放電部２での放電による放電エネルギとを同量（略同量）とすることができる。
【００５９】
なお、ここでは、検出用キャパシタＣ５に蓄積された電荷が放出されると表現しているが、例えば、検出用キャパシタＣ５が充電されていない場合、電圧が逆向きに電荷が蓄積（積算）されると表現することも可能である。すなわち、以上の説明では、第１放電部１から放電開始する例としているので、閾電極値ＶＬが正の値となっている。しかしながら、第２放電部２から放電開始する構成であってもよく、その場合、閾電極値ＶＬは負の値になる。つまり、０Ｖから閾電極値ＶＬ（不の値）まで、第２スイッチング素子Ｓｗ２にＨレベルの制御信号を送信し、点Ｘでの電圧が閾電極値ＶＬに到達したとき、第２スイッチング素子Ｓｗ２にＬレベルの制御信号を、第１スイッチング素子Ｓｗ１にＨレベルの制御信号を送信するようにしてもよい。
【００６０】
本発明にかかるイオン発生装置Ａでは、放電エネルギが同じであるので、第１放電部１で発生したプラスイオン｛H＋（H２O）ｍ｝と第１放電部２で発生したマイナスイオン｛O２−(H２O)ｎ｝とを同量又は略同量とすることができる。すなわち、イオン発生装置Ａは、プラスイオン｛H＋（H２O）ｍ｝と、マイナスイオン｛O２−(H２O)ｎ｝とをバランスよく発生させることが可能である。
【００６１】
これらプラスイオン｛H＋（H２O）ｍ｝及びマイナスイオン｛O２−(H２O)ｎ｝ は、浮遊菌の表面に付着し、化学反応して活性種であるH２O２ または（・OH）を生成する。H２O２または（・OH） は極めて強力な活性を示すため、これらにより、空気中の浮遊細菌を取り囲んで不活化することができる。ここで、（・OH）は活性種の一種であり、ラジカルの水酸基 を示している。
【００６２】
活性種である過酸化水素H２O２または水酸基ラジカル（・OH）は、有害物質を酸化若しくは分解して、ホルムアルデヒドやアンモニアなどの化学物質を、二酸化炭素や、水、窒素などの無害な物質に変換することにより、実質的に無害化することが可能である。
【００６３】
したがって、プラスイオン｛H＋（H２O）ｍ｝とマイナスイオン｛O２−(H２O)ｎ｝の作用により、空気中のカビや菌を不活化してその増殖を抑制することができるとともに、有害物質を実質的に無害化することができる。その他、プラスイオン｛H＋（H２O）ｍ｝とマイナスイオン｛O２−(H２O)ｎ｝には、コクサッキーウィルス、ポリオウィルス、などのウィルス類も不活化する働きがあり、これらウィルスの混入による汚染が防止できる。また、プラスイオン｛H＋（H２O）ｍ｝とマイナスイオン｛O２−(H２O)ｎ｝には、臭いの元となる分子を分解する働きがあることも確かめられており、空間の脱臭にも利用できる。
【００６４】
そして本発明のイオン発生装置では、プラスイオン｛H＋（H２O）ｍ｝とマイナスイオン｛O２−(H２O)ｎ｝をバランスよく生成するので、活性種であるH２O２または（・OH）を効果的に生成することが可能であり、それだけ、有害物質（細菌、ウィルス、化学物質等）の無害化の効果を高めることが可能である。
【００６５】
イオン発生装置Ａでは、プラスイオン｛H＋（H２O）ｍ｝を発生させる放電(第１放電部での放電)時の電流値は、マイナスイオン｛O２−(H２O)ｎ｝を発生させる放電（第２放電部２での放電）時の電流値よりも低くなる。この場合、第１放電部１で一定時間、放電したことによる放電エネルギと第２放電部２で一定時間、放電したことによる放電エネルギとに差異が生じる。このような場合でも、検出用キャパシタＣ５の電圧値（充電電荷）によって放電エネルギを検出しているので、第１放電部１での放電による放電エネルギと第２放電部２での放電による放電エネルギを精度よく同量とすることが可能である。
【００６６】
なお、イオン発生装置Ａでは、放電部用ダイオードを通じて整流されたパルス電圧を放電電極に印加しているが、これに限定されるものではない。本実施形態のイオン発生装置Ａの別の構成について図面を参照して説明する。図３は図１に示すイオン発生装置の別の構成の第１放電部及び第２放電部の電気的構成を示す。図３に示すように、第１トランス３の二次コイル３２にはダイオードブリッジＤＢ１が接続されており、さらに、キャパシタＣ１１で平滑化された正の放電電圧（正の高電圧）が印加されるように第１放電電極１１が接続されている（第１整流手段）。
【００６７】
また、第２トランス４の二次コイル４２にもダイオードブリッジＤＢ２が接続されており、さらに、キャパシタＣ２１で平滑化された負の放電電圧（負の高電圧）が印加されるように第２放電電極２１が接続されている（第２整流手段）。イオン発生装置Ａは、第１放電電極１１及び第２放電電極２１に正又は負の平滑化された放電電圧が印加される構成でも、同様の方法で放電エネルギを検出し、プラスイオン及びマイナスイオンをバランスよく生成することが可能である。なお、全波整流する回路はダイオードブリッジに限定されるものではない。
【００６８】
（第２の実施形態）
本発明にかかるイオン発生装置の他の例について図面を参照して説明する。図４は本発明にかかるイオン発生装置の他の例の電気的構成を示す図であり、図５は図４に示す放電エネルギ検出部の電圧変化と、第１スイッチング素子及び第２スイッチング素子の動作の切替えを示すタイミングチャートである。
【００６９】
図４に示すイオン発生装置Ｂでは、第１放電部１及び第２放電部２それぞれに誘導電極Ｔｄ１、Ｔｄ２が設けられているとともに、各誘導電極Ｔｄ１、Ｔｄ２に接続され第１放電部１及び第２放電部２での放電エネルギを検出する第１放電エネルギ検出部５１、第２放電エネルギ検出部５２をそれぞれ備えている。それ以外の点は、図１に示すイオン発生装置Ａと実質上同じ構成であり、実質上同じ部分は同じ符号を付すとともに、同じ部分の詳細な説明は省略する。
【００７０】
図４に示すように、第１放電部１には第１放電電極１１と対向するように誘導電極Ｔｄ１が備えられている。また、誘電電極Ｔｄ１は第１放電エネルギ検出部５１を介して接地されている。第１放電エネルギ検出部５１は、イオン発生装置Ａの放電エネルギ検出部５と同様、抵抗Ｒ５１と第1検出用キャパシタＣ５１とを直列に配置した構成となっている。そして、制御回路６は、抵抗Ｒ５１と第１放電部１との間の点Ｙの電圧を検出している。また、第１放電エネルギ検出部５１には、第１検出用キャパシタＣ５１に充電された電荷を開放するためのスイッチング素子Ｓ５１を備えている。スイッチング素子Ｓ５１は制御回路６からの制御信号でＯＮ／ＯＦＦ操作される。スイッチング素子Ｓ５１をＯＮにすることで、第1検出用キャパシタＣ５１に充電されている電荷が抵抗Ｒ５１で消費され、第１検出用キャパシタＣ５１を放電する（リセット）。
【００７１】
図４に示すように、第２放電部２には第２放電電極２１と対向するように誘導電極Ｔｄ２が備えられている。また、誘電電極Ｔｄ２は第２放電エネルギ検出部５２を介して接地されている。第２放電エネルギ検出部５２は、イオン発生装置Ａの放電エネルギ検出部５と同様、抵抗Ｒ５２と第２検出用キャパシタＣ５２とを直列に配置した構成となっている。そして、制御回路６は、抵抗Ｒ５２と第２放電部２との間の点Ｚの電圧を検出している。また、第２放電エネルギ検出部５２には、第２検出用キャパシタＣ５２に充電された電荷を開放するためのスイッチング素子Ｓ５２を備えている。スイッチング素子Ｓ５２は制御回路６からの制御信号でＯＮ／ＯＦＦ切り替えられる。スイッチング素子Ｓ５２をＯＮにすることで、第２検出用キャパシタＣ５２に充電されている電荷が抵抗Ｒ５２で消費され、第２検出用キャパシタＣ５２を放電する（リセット）。
【００７２】
図５を参照してイオン発生装置Ｂの動作について説明する。図５に示すように、制御回路６は、第１スイッチング素子Ｓｗ１にＨレベルの信号を出力し、第１スイッチング素子Ｓｗ１をスイッチングする。上述しているように、第１スイッチング素子Ｓｗ１のスイッチング動作によって、第１放電部１で放電が行われる。放電によりプラスイオン｛H＋（H２O）ｍ｝が発生するとともに、第１放電電極１１から誘導電極Ｔｄ１に正の電荷が供給される。この電荷は、第１放電エネルギ検出部５１に送られ、第１検出用キャパシタＣ５１に電荷が充電される。なお、誘導電極Ｔｄ１に正電荷が供給されるので、点Ｙの電圧は正の電圧となる（図５参照）。
【００７３】
制御回路６は、点Ｙの電圧を検出しており、第１放電エネルギ検出部５１で検出される放電エネルギは、この点Ｙの電圧値と同期して変化する。すなわち、制御回路６は、点Ｙの電圧に基づいて、第１放電部１での放電エネルギの値を検出する。制御回路６は、点Ｙの電圧が、閾電圧値ＶＬ１に到達するまで、第１スイッチング素子Ｓｗ１にＨレベルの信号を出力し、第１放電部１での放電を継続する（図１において、期間ｔ１の間）。
【００７４】
制御回路６は、点Ｙの電圧が閾電圧値ＶＬ１に到達したとき、放電エネルギ値が一定の値に到達し、第１放電部１で生成されたプラスイオン｛H＋（H２O）ｍ｝が予め決められた量に到達したと判断し、第１スイッチング素子Ｓｗ１へＬレベルの制御信号を送信する（Ｈレベルの制御信号を停止する）（図５参照）。また、第１放電エネルギ検出部５１のスイッチング素子Ｓ５１にＨレベルの制御信号を送信し、スイッチング素子Ｓ５１を利用して、第１検出用キャパシタＣ５１にたまった電荷を放電する（リセットする）。なお、スイッチング素子Ｓ５１は、第1検出用キャパシタＣ５１の電荷が完全に放電するまでの間ＯＮであればよく、図４では、制御回路６は期間ｔ１１の間のみＯＮになるように、Ｈレベルの制御信号を送出する。
【００７５】
制御回路６は、第２スイッチング素子Ｓｗ２にＨレベルの制御信号を出力し、第２スイッチング素子Ｓｗ２をスイッチングする。上述しているように、第２スイッチング素子Ｓｗ２のスイッチング動作によって、第２放電部２で放電が行われる。放電によりマイナスイオン｛O２−(H２O)ｎ｝が発生するとともに、誘導電極Ｔｄ２から第２放電電極２１に電荷が供給される。この電荷は、第２放電エネルギ検出部５２から供給され、第２検出用キャパシタＣ５２に第１検出用キャパシタＣ５１と向きが異なる電圧で充電される。なお、誘導電極Ｔｄ２から正電荷が供給されるので、点Ｚの電圧は負の電圧となる（図５参照）。
【００７６】
制御回路６は、点Ｚの電圧を検出しており、第２放電エネルギ検出部５２で検出される放電エネルギは、この点Ｚの電圧値と同期して変化する。すなわち、制御回路６は、点Ｚの電圧に基づいて、第２放電部２での放電エネルギの値を検出する。制御回路６は、点Ｚの電圧が、閾電圧値−ＶＬ１に到達するまで、第２スイッチング素子Ｓｗ２にＨレベルの信号を出力し、第２放電部２での放電を継続する（図５において、期間ｔ２の間）。
【００７７】
制御回路６は、点Ｚの電圧が閾電圧値−ＶＬ１に到達したとき、放電エネルギ値が一定の値に到達し、第２放電部２で生成されたプラスイオン｛H＋（H２O）ｍ｝が予め決められた量に到達したと判断し、第２スイッチング素子Ｓｗ２へＬレベルの制御信号を送信する（Ｈレベルの制御信号を停止する）（図５参照）。また、第２放電エネルギ検出部５２のスイッチング素子Ｓ５２にＨレベルの制御信号を送信し、スイッチング素子Ｓ５２を利用して、第２検出用キャパシタＣ５２にたまった電荷を放電する（リセットする）。なお、スイッチング素子Ｓ５２は、検出用キャパシタ５２の電荷が完全に放電するまでの間ＯＮであればよく、図４では、制御回路６は期間ｔ２１の間のみＯＮになるように、Ｈレベルの制御信号を送出する。
【００７８】
制御回路６は、以上のように第１スイッチング素子Ｓｗ１と、第２スイッチング素子Ｓｗ２とを交互にスイッチング制御し、発生するイオンのプラスとマイナスのバランスを調整している。
【００７９】
このように、第１スイッチング素子Ｓｗ１及び第２スイッチング素子Ｓｗ２の切替えを行う電圧として、絶対値が同じ閾電圧値を用いることで、第１放電部１での放電エネルギと第２放電部２での放電エネルギを略同量とすることができる。これにより、第１放電部１で生成されるプラスイオン｛H＋（H２O）ｍ｝の発生量と第２放電部２で生成されるマイナスイオン｛O２−(H２O)ｎ｝の発生量とが略同量となる。これにより、プラスイオン｛H＋（H２O）ｍ｝とマイナスイオン｛O２−(H２O)ｎ｝をバランスよく生成するので、活性種であるH２O２または（・OH）を効果的に生成することが可能であり、それだけ、有害物質（細菌、ウィルス、化学物質等）の無害化の効果を高めることが可能である。
【００８０】
イオン発生装置Ｂでは、第１放電部１と第２放電部２とを離して形成することが可能であるので、プラスイオン｛H＋（H２O）ｍ｝とマイナスイオン｛O２−(H２O)ｎ｝が発生後、中和してしまって消滅するのを効率的に抑制することが可能である。また、第１放電部１と第２放電部２の放電エネルギの値を決定する閾電圧値を第１放電エネルギ検出部５１と第２放電エネルギ検出部５２とで異なる値とすることも可能であり、プラスイオン｛H＋（H２O）ｍ｝とマイナスイオン｛O２−(H２O)ｎ｝とのイオンバランスを任意の比率とすることが可能である。例えば、正の電荷に帯電した空間の場合、第２放電部２の放電エネルギを決定する閾電圧値を第１放電部１の放電エネルギを決定する閾電圧値よりも大きな絶対値のものを採用することで、マイナスイオン｛O２−(H２O)ｎ｝過多とすることができ、空間を中和することができる。
【００８１】
プラスイオン｛H＋（H２O）ｍ｝とマイナスイオン｛O２−(H２O)ｎ｝のイオンバランスを任意の比率で設定する構成の場合、制御回路６が、イオンバランスごとに予め決められた閾電圧値のデータベースを記憶部（不図示）に備えておき、データベースから第１放電エネルギ検出部５１及び第２放電エネルギ検出部５２の閾電圧値を呼出すようにしてもよい。なお、生成するプラスイオン｛H＋（H２O）ｍ｝とマイナスイオン｛O２−(H２O)ｎ｝のイオンバランスは、空間のイオン（電荷）の状態を検出する検出部からの情報に基づいて決定するものでもよく、使用者が任意に設定するものでもよい。
【００８２】
（第３の実施形態）
本発明にかかるイオン発生装置のさらに他の例について図面を参照して説明する。図６は本発明にかかるイオン発生装置のさらに他の例の電気的構成を示す図である。
【００８３】
図６に示すイオン発生装置Ｃは、第１放電部１と第２放電部２とが１個のトランス７（トランス部）の二次コイル７２に接続されている点と、第１スイッチング素子Ｓｗ１１が二次コイル７２と第１放電部用ダイオードＤｐ１との間に配置されている点と、第２スイッチング素子Ｓｗ２２が二次コイル７２と第２放電部用ダイオードＤｐ２との間に配置されている点以外は、図１に示すイオン発生装置Ａと同じ構成であり、実質上同じ部分には同じ符号を用いるとともに、同じ部分の詳細な説明は省略する。また、制御回路６による、第１スイッチング素子Ｓｗ１１及び第２スイッチング素子Ｓｗ２２の制御については、イオン発生装置Ａと同じであり、詳細は省略する。
【００８４】
図６に示すイオン発生装置Ｃは、第１スイッチング素子Ｓｗ１１がＯＮのとき、トランス７で昇圧された電圧は、第１放電部用ダイオードＤｐ１でプラスバイアスされる。これにより、第１放電部１では第１放電電極１１に正の放電電圧（正の高電圧）が印加され、誘導電極Ｔｄとの間で放電し、プラスイオン｛H＋（H２O）ｍ｝が発生する。
【００８５】
また、第２スイッチング素子Ｓｗ２２がＯＮのとき、トランス７で昇圧された電圧は、第２放電部用ダイオードＤｐ２でマイナスバイアスされる。これにより、第２放電部２では、第２放電電極２１に負の放電電圧（負の高電圧）が印加され、誘導電極Ｔｄとの間で放電が発生し、マイナスイオン｛O２−(H２O)ｎ｝が発生する。
【００８６】
以上に示したように、イオン発生装置Ｃでは、第１スイッチング素子Ｓｗ１１及び第２スイッチング素子Ｓｗ２２をトランスの二次側に配置することで、１個のトランス７で、第１放電部１への電圧印加及び第２放電部２への電圧印加を行うことができる。これにより、イオン発生装置Ｃは小型化、軽量化に有利である。
【００８７】
また、第１トランス３及び第２トランス４の２個のトランスを備えた場合と同様、第１放電電極１１に平滑化された正の放電電圧、第２第２放電電極２１に平滑化された負の放電電極を印加する構成であってもよい。図７は図６に示すイオン発生装置の別の構成の第１放電部及び第２放電部の電気的構成を示す。図７に示すように、トランス７の二次コイル７２に、２個のダイオードブリッジＤＢ１、ＤＢ２が並列に接続されている。そして、二次コイル７２とダイオードブリッジＤＢ１との間にはスイッチング素子Ｓｗ１１が、二次コイル７２とダイオードブリッジＤＢ２との間にはスイッチング素子Ｓｗ２２がそれぞれ配置されている。
【００８８】
またダイオードブリッジＤＢ１と第１放電電極１１との間にはキャパシタＣ１１が配置されており、ダイオードブリッジＤＢ２と第２放電電極２１との間にはキャパシタＣ２１が配置されている。このように、ダイオードブリッジＤＢ１、ＤＢ２及びキャパシタＣ１１、Ｃ２１が配置されていることで、第１放電電極１１には平滑化された正の放電電圧（正の高電圧）が、第２放電電極２１には平滑化された負の放電電圧（負の高電圧）がそれぞれ、印加される。
【００８９】
本実施形態のイオン発生装置Ｃは、第１放電電極１１及び第２放電電極２１に正又は負の平滑化された放電電圧が印加される構成でも、同様の方法で放電エネルギを検出し、プラスイオン及びマイナスイオンをバランスよく生成することが可能である。なお、全波整流する回路はダイオードブリッジに限定されるものではない。
【００９０】
（第４の実施形態）
本発明にかかるイオン発生装置さらに他の例について図面を参照して説明する。図８は本発明にかかるイオン発生装置のさらに他の例の電気的構成を示す図である。
【００９１】
図８に示すイオン発生装置Ｄは第２放電部２０が異なる以外は、イオン発生装置Ａと同じ構成を有しており、実質上同じ部分には同じ符号付すとともに、実質上同じ部分の詳細な説明は省略する。
【００９２】
図８に示すイオン発生装置Ｄは、放電電極２０１の先端に水等の液体を供給し、放電により、ラジカルを含む帯電微粒子を発生させる、いわゆる、静電霧化装置である。図８に示すように、イオン発生装置Ｄには、第２放電部２０の放電電極２０１に液体（ここでは、水）を供給する給水部２０２を備えている。
【００９３】
第２放電部２で生成される帯電微粒子はマイナスに帯電しており、第１放電部１で発生するプラスイオン｛H＋（H２O）ｍ｝に比べて、電荷が大きい。イオン発生装置Ｄでもイオン発生装置Ａと同様、第１放電部１と第２放電部２０の放電エネルギを検出し、その放電エネルギが同量となるように制御されるので、発生するイオン又は帯電微粒子の１個の電荷が異なる場合であっても、イオン発生装置Ｄで生成されるイオン及び帯電微粒子の電荷のプラス／マイナスのバランスを精度よく制御することが可能である。なお、本実施形態において、負の放電電圧（負の高電圧）が印加される放電部（第２放電部）側で、帯電微粒子が発生するものとしているが、これに限定されるものではなく、正の放電電圧（正の高電圧）が印加される放電部（第１放電部）側で、帯電微粒子が発生するようにしてもよく、両方の放電部で帯電微粒子が発生するようにしてもよい。
【００９４】
本発明にかかるイオン発生装置を搭載した電気機器の一例である空気清浄機について、図面を参照して説明する。図９は本発明にかかる電気機器の一例である空気清浄機を示すブロック図である。なお、図９に示す空気清浄機では、イオン発生装置Ａを用いているがそれ以外の本発明にかかるイオン発生装置を用いてもよい。
【００９５】
空気清浄機は、ファンを駆動して外部に空気を送り、その空気にイオン発生装置Ａで発生した、プラスイオン｛H＋（H２O）ｍ｝及びマイナスイオン｛O２−(H２O)ｎ｝（帯電微粒子）を供給し、空気の流れで外部空間にプラスイオン｛H＋（H２O）ｍ｝及びマイナスイオン｛O２−(H２O)ｎ｝（帯電微粒子）を拡散させ、細菌、ウィルス、化学物質等の環境を悪化させる物質を付活化させるものである。
【００９６】
図９に示すように、空気清浄機は、制御部Ｃｏｎｔが、操作部Ｏｐと、表示部Ｄｓと、イオン発生装置Ａと、ファンＦａとを制御する構成となっている。制御部Ｃｏｎｔは、操作部Ｏｐに使用者からの動作開始の入力があると、表示部Ｄｓに必要な内容（例えば、現在の時刻、タイマー設定時間、イオン発生ＯＮ／ＯＦＦ等）を表示し、ファンＦａを回転する。
【００９７】
空気清浄機では、上述した環境を悪化させる物質を捕集するフィルタ（不図示）を備えておりファンＦａの駆動だけでもある程度、空気を清浄することが可能である。一方で、イオン発生装置Ａからの、プラスイオン｛H＋（H２O）ｍ｝及びマイナスイオン｛O２−(H２O)ｎ｝（帯電微粒子）を放出することで、環境中に浮遊したフィルタで捕集しにくい環境を悪化させる物質を不活化することができる。そのため、空気清浄機では、フィルタによる環境を悪化させる物質の捕集と同時に、プラスイオン｛H＋（H２O）ｍ｝及びマイナスイオン｛O２−(H２O)ｎ｝（帯電微粒子）を発生させる運転を行うためのモード（イオン放出モードとする）が用意されている。
【００９８】
制御部Ｃｏｎｔは操作部Ｏｐにイオン放出モードでの動作をＯＮにする入力があると、イオン発生装置Ａを駆動し、プラスイオン｛H＋（H２O）ｍ｝及びマイナスイオン｛O２−(H２O)ｎ｝（帯電微粒子）を発生させる。これにより、プラスイオン｛H＋（H２O）ｍ｝及びマイナスイオン｛O２−(H２O)ｎ｝（帯電微粒子）は、ファンＦａによる空気の流れにのって、外部に放出される。
【００９９】
このような、空気清浄機に本発明にかかるイオン発生装置を取り付けることで、プラスイオン｛H＋（H２O）ｍ｝とマイナスイオン｛O２−(H２O)ｎ｝（帯電微粒子）のプラス電荷とマイナス電荷のバランスを一定に保つことができる。
【０１００】
以上、本発明の実施形態について説明したが、本発明はこの内容に限定されるものではない。また本発明の実施形態は、発明の趣旨を逸脱しない限り、種々の改変を加えることが可能である。
【産業上の利用可能性】
【０１０１】
本発明にかかるイオン発生装置は、空気調和機、除湿器、加湿器、空気清浄機、冷蔵庫、ファンヒータ、電子レンジ、洗濯乾燥機、掃除機、殺菌装置などの電気機器に搭載することができる。
【０１０２】
Ａ〜Ｄ  イオン発生装置
１  第１放電部
１１  第１放電電極
２  第２放電部
２０  第２放電部
２０１  第２放電電極
２１  第２放電電極
３  第１トランス
３１  一次コイル
３２  二次コイル
４  第２トランス
４１  一次コイル
４２  二次コイル
５  放電エネルギ検出部
Ｒ５  抵抗
Ｃ５  検出用キャパシタ
５１  第１放電エネルギ検出部
５２  第２放電エネルギ検出部
６  制御回路
７  トランス
Ｐｗ１  電源入力部
Ｉｎ１  第１端子（高電圧側）
Ｉｎ２  第２端子（低電圧側）
Ｒ１  入力抵抗
Ｃ１  キャパシタ
ＳＤ  トランス駆動用スイッチング素子
Ｄ１  整流ダイオード
Ｄｐ１  第１放電部用ダイオード
Ｄｐ２  第２放電部用ダイオード
Ｃｒ１  電力供給回路
Ｓｗ１  第１スイッチング素子
Ｓｗ２  第２スイッチング素子
【図１】
2013051183.tif 000003
【図２】
2013051183.tif 000004
【図３】
2013051183.tif 000005
【図４】
2013051183.tif 000006
【図５】
2013051183.tif 000007
【図６】
2013051183.tif 000008
【図７】
2013051183.tif 000009
【図８】
2013051183.tif 000010
【図９】
2013051183.tif 000011